(57)【特許請求の範囲】
【請求項１】
マグネトロンの出力調節用ノブと；
上記ノブの軸が中心に嵌められ、一側面に一対の押し片が突設されている第１ギヤと；
上記押し片によって上記マグネトロンとヒーターとを切り換える第１スイッチと；
上記第１ギヤと噛合されており、一側面に一対の押し片が突設され、反対側面に上記マグネトロンの出力調節用ギヤと噛合する小形ギヤが形成されている第２ギヤと；
上記第２ギヤの上記押し片によってマグネトロンを開閉作動する第２スイッチとを含み、上記ノブの回転を上記第１ギヤに伝達し、上記第１ギヤの回転によって上記第１スイッチを開閉作動し、上記第１ギヤの回転を上記第２ギヤに伝達し、上記第２ギヤの回転によって上記第２スイッチを開閉作動すると同時に、上記出力調節用ギヤを回転させることを特徴とする電子レンジの作動スイッチ装置。
【請求項２】
上記第１ギヤは、上記第１ギヤを所定の角度範囲内で回転するように回転範囲を限定するための手段を更に含むことを特徴とする請求項１記載の電子レンジの作動スイッチ装置。
【請求項３】
上記回転範囲限定手段は、
上記第１ギヤの一側面に突設されたストッパーと；
上記ノブの軸が支持される制御盤上に上記ストッパーとぶつかるように突出した一対の阻止片とを含むことを特徴とする請求項２記載の電子レンジの作動スイッチ装置。
【請求項４】
上記第１ギヤは、上記第１ギヤの回転位置をガイドするための手段を更に含むことを特徴とする請求項１記載の電子レンジの作動スイッチ装置。
【請求項５】
上記第１ギヤは、上記第１ギヤの回転位置をガイドするための手段を更に含むことを特徴とする請求項２記載の電子レンジの作動スイッチ装置。
【請求項６】
上記第１ギヤは、上記第１ギヤの回転位置をガイドするための手段を更に含むことを特徴とする請求項３記載の電子レンジの作動スイッチ装置。
【請求項７】
上記回転ガイド手段は、
上記制御盤上に向かい合って突設された一対の弾支片と；
上記第１ギヤの一側面に形成され、上記弾支片が係止される複数の凹溝を有する環状のガイド部材とからなることを特徴とする請求項４記載の電子レンジの作動スイッチ装置。
【請求項８】
上記回転ガイド手段は、
上記制御盤上に向かい合って突設された一対の弾支片と；
上記第１ギヤの一側面に形成され、上記弾支片が係止される複数の凹溝を有する環状のガイド部材とからなることを特徴とする請求項５記載の電子レンジの作動スイッチ装置。
【請求項９】
上記回転ガイド手段は、
上記制御盤上に向かい合って突設された一対の弾支片と；
上記第１ギヤの一側面に形成され、上記弾支片が係止される複数の凹溝を有する環状のガイド部材とからなることを特徴とする請求項６記載の電子レンジの作動スイッチ装置。
【請求項１０】
マグネトロンの出力調節用ノブと；
上記ノブの軸が中心に嵌められ、一側面に一対の押し片が突設され、上記制御盤に突出した一対の阻止片にぶつかるように上記押し片の縁部にストッパーが形成され、上記制御盤上に向かい合って突設された一対の弾支片が係止されるように複数の凹溝を有する環状のガイド部材とからなる第１ギヤと；
上記押し片によって上記マグネトロンとヒーターとを切り換える第１スイッチと；
上記第１ギヤと噛合されており、一側面に一対の押し片が突設され、反対側面に上記マグネトロンの出力調節用ギヤと噛合する小形ギヤが形成されている第２ギヤと；
上記第２ギヤの上記押し片によってマグネトロンを開閉作動する第２スイッチとを含み、上記ノブの回転を上記第１ギヤに伝達し、上記第１ギヤの回転によって上記第１スイッチを開閉作動し、また上記第１ギヤの回転を上記第２ギヤに伝達し、上記第２ギヤの回転によって上記第２スイッチを開閉作動すると同時に、上記出力調節用ギヤを回転させることを特徴とする電子レンジの作動スイッチ装置。
【発明の詳細な説明】
【発明の属する技術分野】
【０００１】
本発明は電気ヒーター装置と高周波を生成するマグネトロン装置とが結合された電子レンジ（マイクロ  ウェーブ  オーブン）の作動スイッチに関し、より詳しくはヒーター及びマグネトロンを一つのスイッチにより同時に制御することの出来る電子レンジの作動スイッチ装置に関する。
【従来の技術】
【０００２】
電子レンジの電装室には高周波を生成するマグネトロンと電気ヒーターとが備えられている。上記高周波は、主に、電装室の底面板に取り付けられた高圧トランスの第１次及び第２次誘導コイルが相互誘導作用によって生成された高電圧を安定的にマグネトロンに印加することで生成される。このような高周波は導波管を介して電子レンジの調理室内部に照射される。上記高周波が導波管を介して調理室内部に照射されると、調理室内部に置かれた食べ物は高周波によって加熱されて調理される。
【０００３】
上記電子レンジは調理する食べ物に応じて所定の作動時間や出力の強弱を調節する必要がある。そのため、上記電子レンジは高周波の発生時間を調節するためのタイマー装置及びマグネトロンのオン／オフ作動の周期を調節するための出力調節装置を備えている。即ち、マグネトロンのオン及びオフ作動の周期を調節することによって電子レンジの出力を調節するのである。このようなタイマー装置及び出力調節装置は制御盤の背面に設置されており、その制御盤は電子レンジの作動を全体的に統制するもので、電子レンジの前面パネルの一側に設けられている。
【０００４】
又、電子レンジには調理室内部に電気ヒーター装置が備えられているものがある。電気ヒーターは食べ物に向かって発熱することで魚やパンまたはクッキー等を焼く際に使われる。電気ヒーターの作動は出力調節装置に設けられたカムによって行われる。
【０００５】
出力調節装置のノブの周りにはブラウナー（ＢＲＯＷＮＥＲ）、ディフロスト（ＤＥＦＲＯＳＴ）、コンビ（ＣＯＭＢＩ）、ミディアムーハイ（ＭＥＤＩＵＭーＨＩＧＨ）、ハイ（ＨＩＧＨ）のように５段階に区分される出力調節段階が設けられる。ブラウナーはヒーターのみを作動させマグネトロンは使用しないものであって、魚やパンまたはクッキー等の料理の際に使われる。ディフロストはヒーターは使わずに、マグネトロンのみを弱めに作動させて冷凍肉等を解凍するのに使われる。コンビはヒーターを作動させマグネトロンは中間程度の出力で作動させて鶏の丸焼きや七面鳥の料理等に使われる。ミディアムーハイはヒーターは切ってマグネトロンのみを中間程度の出力で作動させるものであり、ハイはヒーターを切ってマグネトロンのみを最大出力で作動させるものである。
【０００６】
このような従来の電子レンジにはタイマー装置及び出力調節装置が別途のタイマー用ブラケットによって制御盤の背面に設置されている。アメリカ特許第５、４５５、４０３号公報にはこれと類似した電子レンジの出力調節装置が開示されている。
【０００７】
図１はこのような従来の電子レンジに備えられた作動スイッチ装置の側断面図を示す。同図に示すように、制御盤１には出力調節用ノブ１０のための回転孔１２及びタイマー調節用ノブ２０のための回転孔２２が形成されている。制御盤１の背面にはタイマー用ブラケット３０が設けられており、このタイマー用ブラケット３０には出力調節装置及びタイマー装置が取り付けられている。
【０００８】
出力調節装置は出力調節用ノブ１０、シャフト１４、支持用ブラケット５０、カム４０、ラック７０、及び出力調節用ギヤ６０で構成される。出力調節用ノブ１０はシャフト１４の一端に嵌められ、シャフト１４の他端は支持用ブラケット５０によってタイマー用ブラケット３０に取り付けられている。シャフト１４と支持用ブラケット５０との間にはシャフト１４に嵌められているカム４０が設置される。カム４０はシャフト１４の回転に応じて回転しながらヒーターをオン／オフ作動させ、シャフト１４の回転範囲を制限する。もしヒーター装置の無い電子レンジである場合は、カム４０はシャフト１４の回転範囲を制限する機能のみを持つ。カム４０の円周面には歯形が形成され、上記歯形はラック７０と噛合されている。ラック７０の一部にはタイマー装置８０の出力調節ギヤ６０が噛合されている。
【０００９】
タイマー装置８０はタイマー調節ノブ２０、タイマー用シャフト２４、及び出力調節用ギヤ６０等で構成される。タイマー調節ノブ２０はタイマー用シャフト２４の一端に嵌められ、タイマー用シャフト２４の他端はタイマー装置８０の内部に固定されている。
【００１０】
このような構成の電子レンジを作動させようとする場合、使用者は出力調節用ノブ１０及びタイマー調節ノブ２０を操作しなければならない。出力調節用ノブ１０を所望のメニューに合わせるために回転させると、出力調節用ノブ１０の回転力はシャフト１４に伝達される。シャフト１４が所定角度だけ回転すると、カム４０も共に回転してヒーターをオン／オフに作動させる。カム４０の回転運動に応じてカム４０と噛合されているラック７０は直線運動する。ラック７０の直線運動は再びラック７０との噛合されている出力調節用ギヤ６０の回転運動として伝達される。出力調節用ギヤ６０の回転によって一周期内でのマグネトロンのオン／オフ作動の時間は相対的に短くなるか、或いは長くなる。
【００１１】
タイマー調節ノブ２０を所望の時間だけ回転させると、タイマー調節ノブ２０の回転力はタイマー用シャフト２４に伝達される。タイマー用シャフト２４の回転角度はタイマー装置８０の内部に伝えられて所定時間の間マグネトロン及びヒーターをオンに作動させる。その後、マグネトロン及びヒーターはタイマー装置８０によってオフとなり、これで飲食物の調理は終了する。
【発明が解決しようとする課題】
【００１２】
上記の従来の電子レンジに取り付けられた作動スイッチ装置はマグネトロン及びヒーターを作動させるために支持用ブラケット５０、板バネ（図示せず）、カム４０、及びラック７０等からなっている。これは、部品数が多く、生産コスト上昇の原因となる。また、ラック７０は形状が複雑であるため、生産及び組立が容易でないという問題点がある。
【００１３】
本発明は上記の問題点を解決するためになされたものであって、簡単な構造で、かつ部品数も少なくすることによってコスト低減及び作業性向上の図れる電子レンジの作動スイッチ装置を提供することを目的とする。
【課題を解決するための手段】
【００１４】
上記目的は、本発明のマグネトロンの出力調節用ノブと；上記ノブの軸が中心に嵌められ、一側面に一対の押し片が突設されている第１ギヤと；上記押し片によって上記マグネトロンとヒーターとを切り換える第１スイッチと；上記第１ギヤと噛合され、一側面に一対の押し片が突設されて反対側面に上記マグネトロンの出力調節用ギヤと噛合する小形ギヤが形成されている第２ギヤと；上記第２ギヤの上記押し片によってマグネトロンを開閉作動させる第２スイッチを含んで、上記ノブの回転を上記第１ギヤに伝達し、上記第１ギヤの回転によって上記第１スイッチを開閉作動させ、上記第１ギヤの回転を上記第２ギヤに伝達し、上記第２ギヤの回転によって上記第２スイッチを開閉作動させると同時に上記出力調節用ギヤを回転させることを特徴とする電子レンジの作動スイッチ装置によって達成される。
【００１５】
ここで、上記第１ギヤは上記第１ギヤを所定角度の範囲内で回転するように回転範囲を限定するための手段を更に含むのが望ましく、上記回転範囲限定手段は、上記第１ギヤの一側面に突設されたストッパーと；上記ノブの軸を支持している制御盤上に上記ストッパーとのぶつかるように突出した一対の阻止片とで構成することが出来る。
【００１６】
又、上記第１ギヤは上記第１ギヤの回転位置をガイドするための手段を更に含むのが望ましく、上記回転ガイド手段は、上記制御盤上に向かい合って突設された一対の弾支片と；上記第１ギヤの一側面に形成され、上記弾支片が係止される多数の凹溝を有する環状のガイド部材とで構成することが出来る。
【００１７】
又、上記目的は、本発明によって、マグネトロンの出力調節用ノブと；上記ノブの軸が中心に嵌められ、一側面に一対の押し片が突設され、上記制御盤に突出している一対の阻止片にぶつかるように上記押し片の縁部にストッパーが形成され、上記制御盤上に向かい合って突設された一対の弾支片が係止されるように多数の凹溝を有する環状のガイド部材からなる第１ギヤと；上記押し片によって上記マグネトロンとヒーターとを切り換える第１スイッチと；上記第１ギヤと噛合され、一側面に一対の押し片が突設され、反対側面に上記マグネトロンの出力調節用ギヤと噛合する小形ギヤが形成されている第２ギヤと；上記第２ギヤの上記押し片によってマグネトロンを開閉作動させる第２スイッチとを含んで、上記ノブの回転を上記第１ギヤに伝達し、上記第１ギヤの回転によって上記第１スイッチを開閉作動させ、また上記第１ギヤの回転を上記第２ギヤに伝達し、上記第２ギヤの回転によって上記第２スイッチを開閉作動させると同時に、上記出力調節用ギヤを回転させることを特徴とする電子レンジの作動スイッチ装置によって達成される。
【００１８】
このような構成によって出力調節用ノブ軸が回転すると、ノブ軸に連結された第１ギヤが回転するようになる。第１ギヤの回転は第２ギヤの回転に伝達されてタイマーの出力調節用ギヤを回転させる。第１ギヤの回転によって第１ギヤの押し片が第１スイッチを開閉作動させる。第１スイッチによってマグネトロンとヒーターとが切り換えられる。また第２ギヤの回転によって第２ギヤの押し片が第２スイッチを開閉作動させる。第２スイッチはマグネトロンに連結されているため第２ギヤの回転によってマグネトロンはオンまたはオフに作動する。
【発明の実施の形態】
【００１９】
以下、添付図面を参照して本発明をより具体的に説明する。
【００２０】
図２は本発明の一実施例による電子レンジの作動スイッチ装置の分解斜視図である。制御盤１００は電子レンジの前面の一側に位置している。制御盤１００の前面には出力調節用ノブ（図示せず）とタイマー用ノブ（図示せず）とが設けられ、背面にはギヤ１１０、１２０とスイッチ１３０、１４０及びタイマー装置（図示せず）が設けられる。図２、図３、図６、図９、図１２、図１５は、制御盤１００の背面から見て示す。
【００２１】
制御盤１００の上段には後方に向けて円形に突出した突部１０１が形成される。突部１０１の中央にはノブ軸孔１０６が穿設され、該ノブ軸孔１０６には出力調節用ノブ（図示せず）のノブ軸１０９が嵌合され回転自在となっている。ノブ軸孔１０６を囲んで制御盤１００の背面方向に所定の長さを有するボス１０２が突設されている。上記ボス１０２の円周面には一対の阻止片１０５Ａ、１０５Ｂが上下方向に所定の長さだけ突出するように形成されている。突部１０１の中心から所定の距離だけ離れたところには一対の弾支片１０３Ａ，１０３Ｂが向かい合って突設されている。上記弾支片１０３Ａ，１０３Ｂは固定端を中心として左右方向の弾性曲げが可能であり、相対する面には係止突起１０４が形成されている。
【００２２】
突部１０１の縁部にはヒーター１５３をオン／オフ作動させる第１スイッチ１３０が取り付けられている。第１スイッチ１３０は接触突起１３２が突部１０１の半径方向に押されるように位置している。
【００２３】
突部１０１からタイマー用ノブの設置された方向に所定の距離だけ離隔されたところには第２ギヤ１２０の回転中心を固定する第２ギヤボス１４４が制御盤１００の背面から突設されている。第２ギヤボス１４４は円筒形状になっており、その側部には第２スイッチ１４０が固定されている。第２スイッチ１４０は第２ギヤボス１４４より半径方向に所定の距離だけ離隔されたところに位置しており、マグネトロン１５５をオン／オフに作動させる役割を果たす。
【００２４】
制御盤１００の下端にはもう一つのボス１６４が形成されている。上記ボス１６４には制御盤１００の前面よりタイマー用ノブ軸１６２が挿入され回転自在となっている。
【００２５】
出力調節用ノブ軸１０９には第１ギヤ１１０が嵌められる。第１ギヤ１１０は円周の周りに歯形が形成されており、中心の貫通口は出力調節用ノブ軸１０９と形状結合されるようになっている。第１ギヤ１１０において突部１０１と接する面にはガイド部材１１１と押し片１１４及びストッパー１１３が突設されている。ガイド部材１１１は円形の環状であり、円周に沿って等間隔で多数の凹溝１１２が設けられている。上記凹溝１１２には弾支片１０３の係止突起１０４が弾性力によって嵌められるようになっている。ガイド部材１１１には突部１０１に向けて一対の押し片１１４がガイド部材１１１と一体として形成されている。一対の押し片１１４はガイド部材１１１上で所定の距離を置いて離隔されており、第１スイッチ１３０の接触突起１３２と容易に接近離反するように両側に傾斜面を含んでいる。ストッパー１１３は第１ギヤ１１０の回転の時、一対の阻止片１０５Ａ，１０５Ｂとの干渉が行われる位置に突設されている。
【００２６】
第２ギヤ１２０は第１ギヤ１１０と噛合されたまま第２ギヤボス１４４に嵌められている。第２ギヤ１２０において制御盤１００の側の面には一対の押し片１２４と間隔維持部１２２が形成されており、反対側の面にはタイマー装置の出力調節用ギヤ１７２と噛合する小形ギヤ１７０とが一体として形成されている。
【００２７】
一対の押し片１２４は第２ギヤ１２０の間隔維持部１２２を中心として相対しており、第２スイッチ１４０の接触突起１４２と接触可能な位置に突設されている。又、接触突起１４２と容易に接近離反し得るように両側に傾斜面を含んでいる。
【００２８】
図４、図７、図１０、図１３、及び図１６は制御盤１００の前面に挿入される出力調節用ノブ１６０の正面図を示す。出力調節用ノブ１６０の周りにはブラウナー（ＢＲＯＷＮＥＲ）、ディフロスト（ＤＥＦＲＯＳＴ）、コンビ（ＣＯＭＢＩ）、ミディアムーハイ（ＭＥＤＩＵＭーＨＩＧＨ）、ハイ（ＨＩＧＨ）のように５段階に区分される出力調節段階が設けられている。これにより、使用者は手で直接出力調節用ノブ１６０を回転させ所望の出力強度に合わせることができる。
【００２９】
第１、第２ギヤ１１０、１２０の回転の方向は、共に制御盤１００の背面から見て表す。
【００３０】
図５、図８、図１１、図１４、及び図１７は本発明による電子レンジの電源回路図を示す。
【００３１】
熱を発生するヒーター１５３と高周波を発生するマグネトロン１５５とが交流電源１５１に対して並列に連結されている。第２スイッチ１４０は電源１５１とマグネトロン１５５との間に設置されており、第２スイッチ１４０と電源１５１との間で分枝された端子を共通端子（ＣＯＭ）として利用する。第１スイッチ１３０の一端は共通端子（ＣＯＭ）となっており、他端はＮＣ（常閉）またはＮＯ（常開）に選択的に接点できるようになっている。ＮＣはヒーター１５３に連結された端子であり、ＮＯはマグネトロン１５５に連結された端子である。電源１５１と第１スイッチ１３０との間にはオーブン・サーミスター１５７が連結されて電子レンジの過熱されるのを防ぐ安全装置としての役割を果たす。その他に電源１５１と第２スイッチ１４０との間にはタイマーが直列に連結されているが、図面上には示されていない。上記タイマーは使用者が指定した時間の間だけヒーター１５３またはマグネトロン１５５を作動させ、指定時間が経過すればヒーター１５３とマグネトロン１５５とを電源１５１から開放させる。
【００３２】
上記の本発明による電子レンジの作動スイッチ装置の作動は次の通りである。  図３は図２における出力調節用ノブ１６０がブラウナー（ＢＲＯＷＮＥＲ）に位置している時の作動スイッチ装置の平面図であり、図４は図３の出力調節用ノブ１６０の正面図、図５は図３に対する電子レンジの電源回路図を示す。
【００３３】
図４のように出力調節用ノブ１６０がブラウナー（ＢＲＯＷＮＥＲ）に位置している場合、図３に示すように一対の弾支片１０３Ａ，１０３Ｂはガイド部材１１１の凹溝１１２に係止されるようになる。ストッパー１１３は阻止片１０５Ａに近づくことによって第１ギヤ１１０の時計方向への回転を防ぐ。押し片１１４は第１スイッチ１３０の接触突起１３２を押したままの状態となる。この時、第２ギヤ１２０の押し片１２４は第２スイッチ１４０の接触突起１４２を押していない状態となる。
【００３４】
図５は出力調節用ノブ１６０がブラウナー（ＢＲＯＷＮＥＲ）に位置している時の電子レンジの電源回路図を示す。第１スイッチ１３０の接触突起１３２は押されたままであるため共通端子（ＣＯＭ）はＮＯに接点され、第２スイッチ１４０の接触突起１４２は押されていない状態であるため、第２スイッチ１４０は開放される。従って、ヒーター１５３のみが電源１５１と連結され、マグネトロン１５５は電源１５１と連結されないようになる。即ち、ヒーター１５３のみがタイマーで決められた時間の間だけ作動するようになる。これにより、電子レンジにおけるグリル機能が実現される。
【００３５】
図６は図２における出力調節用ノブ１６０がディフロスト（ＤＥＦＲＯＳＴ）に位置している時の作動スイッチ装置の平面図であり、図７は図６に対する出力調節用ノブ１６０の正面図、図８は図６に対する電子レンジの電源回路図である。
【００３６】
図７のように出力調節用ノブ１６０がディフロスト（ＤＥＦＲＯＳＴ）に位置している時、図６に示すように一対の弾支片１０３Ａ、１０３Ｂはガイド部材１１１の凹溝１１２に係止されるようになる。ストッパー１１３は阻止片１０５Ａから遠のくことによって第１ギヤー１１０の時計方向または時計と反対方向への回転が出来るようにする。押し片１１４はブラウナー（ＢＲＯＷＮＥＲ）の状態を基準として時計と反対方向に回転したので、第１スイッチ１３０の接触突起１３２を押していない状態となる。この時、第２ギヤ１２０は時計方向に回転する。第２ギヤ１２０の時計方向への回転した角度は第２ギヤ１２０と一体として成形された小形ギヤ１７０を介してタイマー装置の出力調節用ギヤ１７２に伝達される。そうすると、出力調節用ギヤ１７２はマグネトロン１５５の出力を強、中、弱のうち“弱の状態”となるようにする。この時、第２ギヤ１２０の押し片１２４は第２スイッチ１４０の接触突起１４２を押していない状態となる。
【００３７】
図８は出力調節用ノブ１６０がディフロストに位置している時の電子レンジの電源回路図を示す。第１スイッチ１３０の接触突起１３２は押されていない状態であるため、共通端子（ＣＯＭ）はＮＣに接点され、第２スイッチ１４０の接触突起１４２も押されていない状態であるため第２スイッチ１４０は開放される。従って、マグネトロン１５５のみが電源１５１と連結され、ヒーター１５３は電源１５１とは連結されないようになる。即ち、マグネトロン１５５のみがタイマー装置で設定された出力及び時間の間だけ作動するようになる。これによって、単純な電子レンジの機能のみが実現される。
【００３８】
図９は図２における出力調節用ノブ１６０がコンビに位置している時の作動スイッチ装置の平面図であり、図１０は図９に対する出力調節用ノブ１６０の正面図、図１１は図９に対する電子レンジの電源回路図である。
【００３９】
図１０のように出力調節用ノブ１６０がコンビに位置している時、図９に示すように一対の弾支片１０３Ａ、１０３Ｂはガイド部材１１１の凹溝１１２に係止されるようになる。ストッパー１１３は阻止片１０５Ａから一層遠のくことによって第１ギヤ１１０の時計方向または時計と反対方向への回転ができるようにする。押し片１１４はディフロストの状態を基準として反時計方向に回転したので第１スイッチ１３０の接触突起１３２を押した状態となる。この時第２ギヤ１２０は時計方向に回転する。第２ギヤ１２０の時計方向への回転した角度は第２ギヤ１２０と一体として成形された小形ギヤ１７０を介してタイマー装置の出力調節用ギヤ１７２に伝達される。そうすると、出力調節用ギヤ１７２はマグネトロン１５５の出力を強、中、弱のうち“中の状態”となるようにする。この時、第２ギヤ１２０の押し片１２４は第２スイッチ１４０の接触突起１４２を押した状態となる。
【００４０】
図１１は出力調節用ノブ１６０がコンビに位置している時の電子レンジの電源回路図を示す。第１スイッチ１３０の接触突起１３２は押されたままであるため共通端子（ＣＯＭ）はＮＯに接点され、第２スイッチ１４０の接触突起１４２も押されたままであるため、第２スイッチ１４０は閉鎖される。従って、マグネトロン１５５及びヒーター１５３は両方とも電源１５１に連結される。即ち、マグネトロン１５５はタイマー装置で設定された出力及び時間の間だけ作動されるようになり、ヒーター１５３はタイマー装置で決められた時間の間だけ作動するようになる。これによって、グリル機能と電子レンジ機能とを同時に発揮するコンビ機能が実現される。
【００４１】
図１２は図２における出力調節用ノブ１６０がミディアムーハイに位置している時の作動スイッチ装置の平面図であり、図１３は図１２に対する出力調節用ノブ１６０の正面図、図１４は図１２に対する電子レンジの電源回路図である。
【００４２】
図１３のように出力調節用ノブ１６０がミディアムーハイに位置している時、図１２に示すように一対の弾支片１０３Ａ、１０３Ｂはガイド部材１１１の凹溝１１２に係止されるようになる。ストッパー１１３は阻止片１０５Ａからさらに遠のくことによって第１ギヤ１１０の時計方向または時計と反対方向への回転ができるようにする。押し片１１４はコンビ状態を基準として時計と反対方向に回転したため第１スイッチ１３０の接触突起１３２を押していない状態となる。この時、第２ギヤ１２０は時計方向に回転する。第２ギヤ１２０の時計方向への回転角度は第２ギヤ１２０と一体として成形された小形ギヤ１７０を介してタイマー装置の出力調節用ギヤ１７２に伝達される。そうすると、出力調節用ギヤ１７２はマグネトロン１５５の出力を強、中、弱のうち、“中の状態”となるようにする。この時、第２ギヤ１２０の押し片１２４は第２スイッチ１４０の接触突起１４２を押していない状態となる。
【００４３】
図１４は出力調節用ノブ１６０がミディアムーハイに位置している時の電子レンジの電源回路図を示す。第１スイッチ１３０の接触突起１３２は押されていない状態であるため、共通端子（ＣＯＭ）はＮＣに接点され、第２スイッチ１４０の接触突起１４２も押されていない状態であるため、第２スイッチ１４０は開放される。従って、マグネトロン１５５は電源１５１と連結され、ヒーター１５３は電源１５１と連結されない。即ち、マグネトロン１５５のみがタイマー装置で決められた出力及び時間の間だけ作動するようになり、ヒーター１５３は作動しない。これによって、単純な電子レンジの機能のみが実現される。
【００４４】
図１５は図２における出力調節用ノブ１６０がハイに位置している時の作動スイッチ装置の平面図であり、図１６は図１５に対する出力調節用ノブ１６０の正面図であり、図１７は図１５に対する電子レンジの電源回路図である。
【００４５】
図１５のように出力調節用ノブ１６０がハイに位置している時、図１５に示すように一対の弾支片１０３Ａ、１０３Ｂはガイド部材１１１の凹溝１１２に係止されるようになる。ストッパー１１３は阻止片１０５Ｂに接するため第１ギヤ１１０の反時計方向への回転を防ぐ。押し片１１４はミディアムーハイの状態を基準として時計と反対方向に回転したため、第１スイッチ１３０の接触突起１３２を押していない状態となる。この時、第２ギヤ１２０は時計方向に回転する。第２ギヤの時計方向への回転角度は第２ギヤ１２０と一体として成形された小形ギヤ１７０を介してタイマー装置の出力調節用ギヤ１７２に伝達される。そうすると、出力調節用ギヤ１７２はマグネトロン１５５の出力を強、中、弱の内“強の状態”となるようにする。この時、第２ギヤ１２０の押し片１２４は第２スイッチ１４０の接触突起１４２を押していない状態となる。
【００４６】
図１７は出力調節用ノブ１６０がハイに位置している時の電子レンジの電源回路図を示す。第１スイッチ１３０の接触突起１３２は押されていない状態であるため共通端子（ＣＯＭ）はＮＣに接点され、第２スイッチ１４０の接触突起１４２も押されていない状態であるため第２スイッチ１４０は開放される。従って、マグネトロン１５５は電源１５１と連結され、ヒーター１５３は電源１５１と連結されない。即ち、マグネトロン１５５のみがタイマー装置で決められた出力及び時間の間だけ作動するようになり、ヒーター１５３は作動しない。これによって、単純な電子レンジの機能のみが実現される。
【発明の効果】
【００４７】
本発明による電子レンジの作動スイッチ装置は、マグネトロンとヒーターの作動のために一対のギヤ及び一対のマイクロスイッチを使用する。従って、作動スイッチ装置の部品数を少なくすることができ、部品不良や組立にかかる時間等を減らし、生産性を向上させる等の利点がある。
【００４８】
以上、本発明を上記の実施例に基づいて具体的に説明したが、本発明はこれに限定されず、当業者の通常の知識を逸脱しない範囲内でその変形や改良が可能であるのは勿論である。
【図面の簡単な説明】
【００４９】
【図１】  従来の電子レンジに設けられた作動スイッチ装置の側断面図である。
【図２】  本発明の一実施例による電子レンジの作動スイッチ装置の分解斜視図である。
【図３】  図２における出力調節用ノブがブラウナー（ＢＲＯＷＮＥＲ）に位置している時の作動スイッチ装置の平面図である。
【図４】  図３に対する出力調節用ノブの正面図である。
【図５】  図３に対する電子レンジの電源回路図である。
【図６】  図２における出力調節用ノブがディフロスト（ＤＥＦＲＯＳＴ）に位置しているときの作動スイッチ装置の平面図である。
【図７】    図６に対する出力調節用ノブの正面図である。
【図８】    図６に対する電子レンジの電源回路図である。
【図９】  図２における出力調節用ノブがコンビ（ＣＯＭＢＩ）に位置している時の作動スイッチ装置の平面図である。
【図１０】    図９に対する出力調節用ノブの正面図である。
【図１１】  図９に対する電子レンジの電源回路図である。
【図１２】  図２における出力調節用ノブがミディアムーハイ（ＭＥＤＩＵＭ−ＨＩＧＨ）に位置している時の作動スイッチ装置の平面図である。
【図１３】  図１２に対する出力調節用ノブの正面図である。
【図１４】  図１２に対する電子レンジの電源回路図である。
【図１５】  図２における出力調節用ノブがハイ（ＨＩＧＨ）に位置している時の作動スイッチ装置の平面図である。
【図１６】  図１５に対する出力調節用ノブの正面図である。
【図１７】  図１５に対する電子レンジの電源回路図である。
【符号の説明】
【００５０】
１００  制御盤
１０１  突部
１０２  ボス
１０３Ａ、１０３Ｂ  弾支片
１０４  係止突起
１０５Ａ、１０５Ｂ  阻止片
１０６  ノブ軸孔
１０９  ノブ軸
１１０  第１ギヤ
１１１  ガイド部材
１１２  凹溝
１１３  ストッパー
１１４  押し片
１２０  第２ギヤ
１２２  間隔維持部
１２４  押し片
１３０  第１スイッチ
１３２  接触突起
１４０  第２スイッチ
１４２  接触突起
１４４  第２ギヤボス
１５１  電源
１５３  ヒーター
１５５  マグネトロン
１６０  出力調節用ノブ
１６２  タイマー用ノブ軸
１６４  ボス
１７０  小形ギヤ
１７２  出力調節用ギヤ
【図１】
0003795119.tif 000002
【図２】
0003795119.tif 000003
【図３】
0003795119.tif 000004
【図４】
0003795119.tif 000005
【図５】
0003795119.tif 000006
【図６】
0003795119.tif 000007
【図７】
0003795119.tif 000008
【図８】
0003795119.tif 000009
【図９】
0003795119.tif 000010
【図１０】
0003795119.tif 000011
【図１１】
0003795119.tif 000012
【図１２】
0003795119.tif 000013
【図１３】
0003795119.tif 000014
【図１４】
0003795119.tif 000015
【図１５】
0003795119.tif 000016
【図１６】
0003795119.tif 000017
【図１７】
0003795119.tif 000018